(57)【要約】【課題】特定入賞口への入賞率が高いのか低いのかを分かりにくくし、遊技に対する面白味を欠くことなく遊技を続行可能にすること。【解決手段】パチンコ遊技機は、特定入賞口（カップ１０）を備える入賞装置３内に、電気的駆動源（ロータリーソレノイド１８）によって作動し入賞装置３内に入賞した遊技球を弾発する可動体（アイアン８）を備えたパチンコ遊技機であって、可動体８の弾発強度を変化させることにより、特定入賞口１０への入賞率を変化させるよう構成した。【選択図】図２
2006280514.tif 000002
【特許請求の範囲】
【請求項１】
特定入賞口を備える入賞装置内に、電気的駆動源によって作動し前記入賞装置内に入賞した遊技球を弾発する可動体を備えたパチンコ遊技機であって、
前記可動体の弾発強度を変化させることにより、前記特定入賞口への入賞率を変化させるよう構成したことを特徴とするパチンコ遊技機。
【請求項２】
前記電気的駆動源への供給電流の大きさを変化させることにより、前記可動体の弾発強度を変化させることを特徴とする請求項１に記載のパチンコ遊技機。
【発明の詳細な説明】
【技術分野】
【０００１】
本発明は、パチンコ遊技機、詳しくは、特定入賞口を備える入賞装置内に、電気的駆動源によって作動し入賞装置内に入賞した遊技球を弾発する可動体を備えたパチンコ遊技機に関する。
【背景技術】
【０００２】
特許文献１に、入賞装置内に制御機構を設け、この制御機構の複数の駆動パターンにより特定入賞口への入賞率を互いに異ならせる、つまり変化させるよう構成したパチンコ遊技機が開示されている。
【特許文献１】特許第２７３１９０３号公報
【発明の開示】
【発明が解決しようとする課題】
【０００３】
しかし、上記従来技術は、制御機構を駆動するタイミングや駆動する時間を変化させることによって複数の駆動パターンを設定しているため、制御機構の駆動パターンと特定入賞口への入賞率との関係、つまり、制御機構の駆動パターンがどの駆動パターンのときに特定入賞口への入賞率が高くあるいは低いのかが遊技者にとって目視で簡単に分かるため、面白味に欠けるという問題があった。
【０００４】
本発明は、上記のような従来技術の問題点を解決し、遊技者にとって入賞装置内の特定入賞口への入賞率が高いのか低いのかが分かりにくく面白味に富んだパチンコ遊技機を提供することを目的とする。
【課題を解決するための手段】
【０００５】
本発明のパチンコ遊技機は、特定入賞口を備える入賞装置内に、電気的駆動源によって作動し前記入賞装置内に入賞した遊技球を弾発する可動体を備えたパチンコ遊技機であって、前記可動体の弾発強度を変化させることにより、前記特定入賞口への入賞率を変化させるよう構成したことを特徴とする。
【０００６】
本発明によると、可動体の弾発強度を変化させることによって特定入賞口への入賞率を変化させるようにしたため、遊技者にとって、駆動タイミングや駆動時間を変化させた従来の駆動パターンと入賞率との分かり易い関係とは異なり、特定入賞口への入賞率が高いのか低いのかが分かりにくくなり、遊技に対する面白味を欠くことなく遊技を続行することが期待できる。
【０００７】
ここで、前記電気的駆動源への供給電流の大きさを変化させることにより、前記可動体の弾発強度を変化させるようにする。
【発明を実施するための最良の形態】
【０００８】
以下、本発明の実施形態を図面に基づいて説明する。
【０００９】
図１は、本発明の一実施形態に係るパチンコ遊技機の概略正面図、図２は、同パチンコ遊技機の入賞装置の正面図、図３は、同入賞装置の概略断面図、図４は、同パチンコ遊技機における電気系統の要部ブロック図、図５は、主基板が実行する主要な処理を表したフローチャートをそれぞれ示す。
【００１０】
図１において、遊技盤１の遊技領域２の中央部に入賞装置３が配置され、その下方に左右３つの始動口４，５，６が配置されている。
【００１１】
入賞装置３は、始動口４，５，６に遊技球が入ったことを条件として遊技球が入賞装置３内に入るのを可能にし、入賞装置３内に入った遊技球を特定キャラクタ７がゴルフのアイアンに見立てた可動体８で打ち、グリーンに見立てた緩斜面９上のカップに見立てた特定入賞口１０に打球が入ったとき、遊技者に特典を与える特別遊技状態いわゆる大当り状態（入賞装置３に多数の遊技球が入り多数の賞球の払出を可能にする状態）を発生させるよう構成されている。
【００１２】
具体的には、入賞装置３は、図２に拡大して示すように、上部に入賞口１１を備え、この入賞口１１は左右方向へ移動可能な可動片１２によって開閉する。可動片１２は、３つの始動口４，５，６のうち左右両端の始動口４，６に遊技球が入ったとき、１回だけ左方へ移動し入賞口１１を開成することによって入賞装置３へ遊技球が入るのを可能にし、また、中央の始動口５に遊技球が入ったとき、２回左方へ間欠的に移動し入賞口１１を２回間欠的に開成することによって入賞装置３へ遊技球をより一層入り易くする。
【００１３】
入賞口１１には、この入賞口１１に入った遊技球を可動体（アイアン）８が位置する場所まで案内するための上下方向に延びた誘導樋１３の入口１４が配置されている。誘導樋１３の出口１５は、ゴルフのフェアウエイに見立てた緩斜面１６の上側に配置されており、また、緩斜面１６の下側に、アイアン８をもった特定キャラクタ７が配置されている。そして、誘導樋１３の出口１５から出た遊技球は、緩斜面１６上を転がって可動体８の先端部８a（アイアンのヘッド部）の手前つまり打球位置にセットされるよう構成されている。
【００１４】
図３に示すように、特定キャラクタ７は、遊技盤１の凹部１７に嵌め込まれており、また、可動体８の元部８b（アイアンのグリップ部）は、ロータリーソレノイド１８（電気的駆動源）の回転軸１９に固着されており、アイアン８は、ロータリーソレノイド回転軸１９の回動によってスイングされ、セットされた遊技球を緩斜面９（グリーン）に向けて打つよう構成されている。ここで、アイアン８がスイングを開始するタイミングは、入賞装置３に入った遊技球が誘導樋１３に設けられた入賞球検出スイッチ２０によって検出された時点から所定時間が経過して、遊技球が打球位置に確実にセットされた後の所定時点に予め設定されている。
【００１５】
また、可動体８の回動範囲（アイアンのスイング幅）は常に一定に設定してあるが、回動速度（スイング速度）は可変に設定してある。つまり、ロータリーソレノイド１８に供給する電流つまり供給電流は複数レベル例えば大中小（例えば、「大」は０．３A、「中」は０．２A、「小」は０．１A）の３段階に設定してある。
【００１６】
そして、供給電流が「大」のとき、アイアン８のスイング速度は高速度となり、換言すると、アイアン８の弾発強度は「大」となり、アイアン８によって打たれた打球は、図２に示すような大きな軌跡Aを描いて緩斜面９（グリーン）上の特定入賞口１０（カップ）よりも奥（右）にオンし、その後は、グリーン９からこぼれ落ちてはずれ穴２１に入る場合と、カップ１０に入り大当り状態が発生する場合（稀なケースである。）に分かれる。
【００１７】
また、供給電流が「小」のとき、アイアン８のスイング速度は低速度となり、換言すると、アイアン８の弾発強度は「小」となり、アイアン８によって打たれた打球は、図２に示すような小さな軌跡Bを描いてグリーン９上のカップ１０よりも手前（左）にオンし、その後は、グリーン９からこぼれ落ちてはずれ穴２１に入る場合と、カップ１０に入り大当り状態が発生する場合（稀なケースであるが、供給電流が「大」のときよりは大当り状態が発生しやすい。）に分かれる。
【００１８】
また、供給電流が「中」のとき、アイアン８のスイング速度は中速度となり、換言すると、アイアン８の弾発強度は「中」となり、アイアン８によって打たれた打球は、図２に示すような中程度の軌跡Cを描いてグリーン９上のカップ１０付近にオンしてそのままカップ１０にチップインし易く、大当り状態が発生し易くなる。
【００１９】
入賞装置３の適宜箇所には、上述したようなアイアン８の弾発強度を棒グラフ的に表示するLED等からなる弾発強度レベルゲージ２３が設けられており、遊技者は、この弾発強度レベルゲージ２３の表示によって打球の軌跡をある程度予測可能となる。
【００２０】
次に、主要な電気系統について図４を参照して説明する。
【００２１】
図４において、主基板５０の入力側には、始動口４，５，６に遊技球が入賞したときにオンする始動口スイッチ６０，６１，６２、誘導樋１３に設けられ、遊技球の通過時にオンして入賞装置３に遊技球が入賞したことを検出する入賞球検出スイッチ２０、及び、特定入賞口（カップ）１０に遊技球が入賞したときにオンするV検出スイッチ７０がそれぞれ接続されている。
【００２２】
また、主基板５０の出力側には、上記可動片１２（例えば、ソレノイド駆動形可動片）、及びロータリーソレノイド１８がそれぞれ接続され、上記のようにロータリーソレノイド１８の回転軸１９に可動体（アイアン）８が固着されている。
【００２３】
主基板５０は、機能的な主要手段として弾発強度抽選手段５１と大当り動作制御手段５２を構成する。ここで、弾発強度抽選手段５１は、入賞装置３に遊技球が入賞し、入賞球検出スイッチ２０がオンしたことを条件として、大中小３段階からなる可動体（アイアン）８の弾発強度に対する抽選を行い、１つの弾発強度を選択する処理を行う。また、大当り動作制御手段は、遊技球が特定入賞口（カップ）１０に入賞し、V検出スイッチ７０がオンしたことを条件として、大当り状態を発生させ、可動片１２を駆動制御して多数の遊技球を入賞装置３内に入賞させ多数の賞球の払出を行う処理を行う。
【００２４】
また、主基板５０は、図５に示すような手順で主要な処理を実行する。
【００２５】
図５において、主基板５０は、３つの始動口スイッチ６０，６１，６２のうちのいずれがオンしたかを判定することによって、遊技球が始動口４，５，６のいずれかに入賞したか否かを判断し（S1）、遊技球が始動口４，５，６のいずれかに入賞したと判断すると、遊技球が入賞した始動口４，５，６に応じて可動片１２を駆動制御し、入賞装置３の入賞口１１を一時的に１回又は２回開成する（S2）。次に、入賞装置３の入賞口１１の開成時に、入賞球検出スイッチ２０がオンしたか否かを判定することによって、遊技球が入賞装置３内に入賞したか否かを判断し（S3）、遊技球が入賞装置３内に入賞したと判断すると、可動体（アイアン）８の弾発強度を大中小３段階の弾発強度のうちのいずれのレベルの弾発強度に設定するかの弾発強度抽選を行う（S4）。次に、抽選された弾発強度に対応する大きさの電流をロータリーソレノイド１８に供給して可動体（アイアン）８を作動する（S5）。この作動タイミングは、上述したように、誘導樋１３内を通過した遊技球がアイアン８のヘッド部８a手前にセットされた後である。次に、V検出スイッチ７０がオンしたか否かを判定することによって、アイアン８が打った遊技球が特定入賞口（カップ）１０に入賞したか否かを判断し（S6）、遊技球がカップ１０に入賞したと判断すると、大当り動作を行う（S７）。
【００２６】
以上説明したように、本実施形態のパチンコ遊技機は、特定入賞口（カップ１０）を備える入賞装置３内に、電気的駆動源（ロータリーソレノイド１８）によって作動し入賞装置３内に入賞した遊技球を弾発する可動体（アイアン８）を備えたパチンコ遊技機であって、可動体８の弾発強度を変化させることにより、特定入賞口１０への入賞率を変化させるよう構成した。
【００２７】
このため、可動体８の弾発強度を変化させることによって特定入賞口１０への入賞率を変化させるようにしたため、遊技者にとって、駆動タイミングや駆動時間を変化させた従来の駆動パターンと入賞率との分かり易い関係とは異なり、特定入賞口１０への入賞率が高いのか低いのかが分かりにくくなり、遊技に対する面白味を欠くことなく遊技を続行することが期待できる。
【００２８】
ここで、電気的駆動源１８への供給電流の大きさを変化させることにより、可動体８の弾発強度を変化させるようにしている。
【図面の簡単な説明】
【００２９】
【図１】本発明の一実施形態に係るパチンコ遊技機の概略正面図である。
【図２】同パチンコ遊技機の入賞装置の正面図である。
【図３】同入賞装置の概略断面図である。
【図４】同パチンコ遊技機における電気系統の要部ブロック図である。
【図５】主基板が実行する主要な処理を表したフローチャートである。
【符号の説明】
【００３０】
３    入賞装置
８    アイアン（可動体）
１０    カップ（特定入賞口）
１８    ロータリーソレノイド（電気的駆動源）
【図１】
2006280514.tif 000003
【図２】
2006280514.tif 000004
【図３】
2006280514.tif 000005
【図４】
2006280514.tif 000006
【図５】
2006280514.tif 000007